(57)【要約】【課題】発光態様が多様でバラエティに富んでおり、遊技機に高い趣向性を提供することができる上、発光強度が高く、安価に構築することが可能な遊技機用の発光表示装置を提供する。【解決手段】発光表示装置１１は、横方向から照射された光を屈折させて前方へ照射することが可能な５枚の表示プレート４４ａ〜４４ｅ、装飾部材３２、カバー部材３４、発光装置４３ａ，４３ｂ，４３ｃ、収納ケース３８、配線基板３９、配線カバー４２等を組み付けることによって形成されている。そして、表示プレート４４ａ〜４４ｅの内の２枚以上を組み合わせて発光させることによって、一つの纏まった絵柄を表示することができるようになっている。【選択図】図５
2013172902.tif 000002
【特許請求の範囲】
【請求項１】
多数の障害釘および各種の入賞装置を設置してなる遊技盤が前面に設けられた遊技機において、遊技機の遊技内容に応じて各種の文字や絵柄を表示するために遊技盤面上に設置される発光表示装置であって、
横方向から照射された光を屈折させて前方から照射する複数の表示プレートが積層されており、
それらの表示プレートの内の２枚以上を発光させることによって、所定の文字や絵柄を表示することを特徴とする遊技機用の発光表示装置。
【請求項２】
各表示プレートが、光の照射方向によって異なる態様で発光するように複数の文字や絵柄を重ねて形成したものであることを特徴とする請求項１に記載の遊技機用の発光表示装置。
【請求項３】
請求項１、または請求項２に記載の発光表示装置が設置されていることを特徴とする遊技機。
【発明の詳細な説明】
【技術分野】
【０００１】
本発明は、パチンコ機等の遊技機、およびそれに設置する発光表示装置に関するものである。
【背景技術】
【０００２】
パチンコ機等の遊技機の遊技盤面上には、遊技の趣向性を高める目的で、遊技状態に応じて各種の発光演出を行う発光表示装置が設置される。かかる発光表示装置としては、たとえば、特許文献１の如く、アクリル板等の導光板に光を拡散する性質の塗料で文字や模様を印刷した表示プレートと、当該表示プレートの端面に光を照射するための光源部とを備えており、表示プレート内を伝播する光を導光板に付された文字や模様で拡散させることによって、文字や模様のみを前方へ（遊技者側へ）発光させるものが知られている。
【先行技術文献】
【特許文献】
【０００３】
【特許文献１】特開２００６−２８８５９９号公報
【発明の概要】
【発明が解決しようとする課題】
【０００４】
しかしながら、上記特許文献１の如き、光拡散性の塗料で文字や模様を印刷した単体の導光板に端面から光を照射する発光表示装置は、表示可能な文字や模様が１種類のみであり、発光態様が単純であるため、遊技機に高い趣向性を提供することができない。また、文字、模様部分の発光強度が弱いため、明るいホール内で使用しても遊技者にインパクトのある発光表示をすることができず、そのような不具合を解消するためにインバータ等の制御装置を設置すると、製造コストが高いものとなってしまう。
【０００５】
本発明の目的は、上記従来の遊技機用の発光表示装置が有する問題点を解消し、発光態様が多様でバラエティに富んでおり、遊技機に高い趣向性を提供することができる上、発光強度が高く、安価に構築することが可能な遊技機用の発光表示装置を提供することにある。加えて、かかる発光表示装置が設置されており、バラエティに富んだ発光演出を実行可能で趣向性の高い遊技機を提供することにある。
【課題を解決するための手段】
【０００６】
本発明の内、請求項１に記載された発明は、多数の障害釘および各種の入賞装置を設置してなる遊技盤が前面に設けられた遊技機において、遊技機の遊技内容に応じて各種の文字や絵柄を表示するために遊技盤面上に設置される発光表示装置であって、横方向から照射された光を屈折させて前方から照射する複数の表示プレートが積層されており、それらの表示プレートの内の２枚以上を発光させる（組み合わせて発光させる）ことによって、所定の文字や絵柄を表示することを特徴とするものである。
【０００７】
請求項２に記載された発明は、請求項１に記載された発明において、各表示プレートが、光の照射方向によって異なる態様で発光するように複数の文字や絵柄を重ねて形成したものであることを特徴とするものである。
【０００８】
請求項３に記載された発明は、請求項１、または請求項２に記載の発光表示装置が設置されていることを特徴とする遊技機である。
【発明の効果】
【０００９】
請求項１に記載の発光表示装置は、液晶画面等の高価な発光部材を利用しなくても、バラエティに富んだ画像演出を実行することができ、遊技機に高い趣向性を提供することができる。また、発光強度が高く、明るいホール内でも、遊技者にインパクトのある発光表示をすることができる。
【００１０】
請求項２に記載の発光表示装置は、各表示プレートが、光の照射方向によって異なる態様で発光するように複数の文字や絵柄を重ねて形成したものであるため、よりバラエティに富んだ多彩な画像演出を実行することができる。
【００１１】
また、請求項３に記載の遊技機は、発光表示装置によってバラエティに富んだ発光演出を実行することができるため、非常に趣向性が高い。
【図面の簡単な説明】
【００１２】
【図１】発光表示装置を設置したパチンコ機の正面図である。
【図２】パチンコ機の遊技盤の正面図である。
【図３】発光表示装置を示す説明図（正面図）である。
【図４】発光表示装置を示す説明図（図３におけるＡ−Ａ線端面図）である。
【図５】発光表示装置を示す説明図（分解斜視図）である。
【図６】発光表示装置の各表示プレートに形成された絵柄を示す説明図である。
【図７】発光表示装置による絵柄の表示態様を示す説明図である。
【発明を実施するための形態】
【００１３】
＜遊技機の構成＞
以下、本発明に係る遊技機用の発光表示装置を設置した遊技機の一種としてのパチンコ機について、図面にしたがって詳細に説明する。図１は、発光表示装置を設置したパチンコ機を示したものであり、パチンコ機１は、周囲を覆う機枠３の片側縁に、前面枠２が、左端縁を中心として片開き自在に蝶着されている。当該前面枠２の下側には、遊技球を発射装置（図示せず）へ供給するための供給皿７と、遊技球を貯留させるための貯留皿８とが上下に併設されており、その貯留皿８の右側には、発射装置を操作するための発射ハンドル９が突設されている。また、前面枠２の中央よりやや上側には、平板状の遊技盤４が設置されており、その遊技盤４の前面には、透明なガラス板を嵌め込んだガラス扉が、左端縁を中心として片開き自在に蝶着されている（なお、図１においては、遊技盤４の盤面に設置された各種の部材の記載が省略されている）。
【００１４】
また、図２は、遊技盤４を示したものであり、遊技盤４の表面には、金属製で帯状のガイドレール２４が円弧状に立設されており、当該ガイドレール２４によって、略円形の遊技領域１６が区画された状態になっている。そして、当該遊技領域１６には、矩形の表示画面６を備えた大型遊技部材３１が設置されている。そして、大型遊技部材３１の右下方には、種々の態様で文字や絵柄を発光表示可能な発光表示装置１１が設置されている。
【００１５】
また、図２の如く、大型遊技部材３１の表示画面６の下側には、遊技球を転動させるためのステージ２２が形成されており、そのステージ２２の下側には、始動入賞口１９と普通電動役物１７とを有する電動役物ユニット１４が設けられている。普通電動役物１７は、上部の開閉体を開閉させて遊技球を入賞させることができるようになっている。また、発光表示装置１１の左下方には、大入賞口１８が設置されており、当該大入賞口１８は、内蔵された作動装置（図示せず）によって、横長な長方形の板状の扉体を片開き（下端縁を軸として片開き）させることができるようになっている。さらに、大入賞口１８の左下方には、遊技球を通過可能なゲート１０が設けられている。加えて、遊技領域１６には、大型遊技部材３１や大入賞口１８の他に、表示部材３０，３０・・、入賞装置２５，２６，２７、電飾ランプ、風車等が設置されているとともに、多数の障害釘（図示せず）等が植設されている。
【００１６】
＜発光表示装置の構成＞
図３〜図５は、発光表示装置１１を示したものである。発光表示装置１１は、装飾部材３２、カバー部材３４、発光装置４３ａ，４３ｂ，４３ｃ、５枚の表示プレート４４ａ〜４４ｅ、収納ケース３８、配線基板３９、配線カバー４２等を組み付けることによって形成されており、扁平な六角柱状を有している。
【００１７】
装飾部材３２は、合成樹脂によって六角形のプレート状に形成されている。中央に、略六角形状大型の開口部が設けられており、周囲の枠部分にも、小型の３つの開口部が設けられている。そして、それらの小型の開口部の裏側には、それぞれ、赤色の透明な合成樹脂によって形成された長方形状のプレートが嵌め込まれている。
【００１８】
また、カバー部材３４は、透明な合成樹脂によって、略三角形のプレート状に形成されており、三角形の各辺の両端縁際には、それぞれ、支持片４２，４２が、同一面内で外向きに突出するように設けられている。そして、各支持片４２，４２・・の裏面には、それぞれ、発光装置４３ａ，４３ｂ，４３ｃを把持するための把持突起４８，４８・・が設けられている。また、三角形の２つの頂点際には、収納ケース３８内で位置決めするための凹部４９，４９が形成されている。
【００１９】
一方、収納ケース３８は、遮光性を有する合成樹脂によって、中空で扁平な有底の六角柱状に形成されている。そして、底板５０には、各ＬＥＤ基板３７ａ〜３７ｃの配線を挿通させるためのスリット５１，５１が穿設されている。また、内部に収納されたカバー部材３４、各表示プレート４４ａ〜４４ｅ等を位置決め固定するためのリブ５２，５２が、底板５０と直交するように設けられている。
【００２０】
一方、各発光装置４３ａは、調整板収納部材３５ａ、ＬＥＤ基板３７ａ、および５枚の照射方向調整板３６ａ，３６ａ・・によって構成されている。調整板収納部材３５ａは合成樹脂によって幅広な直方体状に一体的に形成されている。そして、内部に、縦長な複数の壁体が平行に配置されており、それらの壁体によって、照射方向調整板３６ａ，３６ａ・・を嵌め込むための設置領域が形成された状態になっている。また、それらの各設置領域の奥側には、矩形の遮光体が、等間隔で設けられており、調整板収納部材３５ａの裏面側から見ると、各設置領域の遮光体が、千鳥格子模様を形成した状態になっている。
【００２１】
また、照射方向調整板３６ａ，３６ａ・・は、透明な合成樹脂によって一定厚みで一定幅の板状（長尺な板状）に形成されており、片方の長辺には、調整板収納部材３５ａの遮光体と係合させるための凹部が等間隔に設けられている。また、２つの長辺には、微細なＶ字状の溝が、板面と直交するように等間隔で設けられており、それらの溝によって、２つの長辺は鋸歯状になっている。
【００２２】
一方、ＬＥＤ基板３７ａは、基板が幅広な矩形状を有しており、当該基板上には、微細な直方体状の複数のＬＥＤ（所謂、チップＬＥＤ）４６，４６・・が、略千鳥格子状に設置されている。
【００２３】
そして、発光装置４３ａは、調整板収納部材３５ａの各設置領域内に、各照射方向調整板３６ａ，３６ａ・・を互いに平行になるように嵌め込んだ状態で、調整板収納部材３５ａの背面にＬＥＤ基板３７ａが押し当てられた状態になっている。なお、各発光装置４３ｂ、各発光装置４３ｃの構造も、発光装置４３ａと同様である。
【００２４】
また、各表示プレート４４ａ〜４４ｅは、透明な合成樹脂によって六角形（三角形の頂点際を他の辺より短くなるようにカットした六角形）のプレート状に形成されており、表面際に、文字や絵柄が刻設されている。図６は、各表示プレート４４ａ〜４４ｅに刻設された文字、絵柄を示したものであり、各文字、絵柄は、表面をカッティングすることによって形成されており、側面から照射した光を前方へ反射することができるようになっている。また、各表示プレート４４ａ〜４４ｅの文字、絵柄は、それぞれ、部分毎にカッティングの態様が異なっており、前方へ反射可能な側面からの光の入射方向（面内における入射方向）が異なっている。たとえば、図６（ｂ）における表示プレート４４ｂにおいては、側面αから垂直にＬＥＤ４６の光を照射すると、絵柄（文字）ａ，ａ・・が前方へ光を反射し（すなわち、前方から見ると発光している状態となり）、側面βから垂直にＬＥＤ４６の光を照射すると、絵柄（文字）ｂ，ｂ・・が前方へ光を反射し、側面γから垂直にＬＥＤ４６の光を照射すると、絵柄（文字）ｃ，ｃ・・が前方へ光を反射する。
【００２５】
発光表示装置１１においては、各表示プレート４４ａ〜４４ｅが、３つの長辺際を、それぞれ、調整板収納部材３５ａ〜３５ｃの各壁体の間に挿入させた状態で、３つの発光装置４３ａ〜４３ｃと一体になっており、それらの各発光装置４３ａ〜４３ｃが、カバー部材３４の把持突起４８，４８・・によって把持された状態になっている。それゆえ、各表示プレート４４ａ〜４４ｅが所定の距離を隔てて平行に配置された状態になっている。また、それらの各表示プレート４４ａ〜４４ｅの各長辺Ａ，Ｂ，Ｃの外側に、照射方向調整部材３６ａ〜３６ｃが位置し、さらに、それらの各照射方向調整部材３６ａ〜３６ｃの外側にＬＥＤ４６が位置した状態になっている。そして、そのように一体となったカバー部材３４、表示プレート４４ａ〜４４ｅ、発光装置４３ａ〜４３ｃは、収納ケース３８内に嵌め込まれ、嵌め込まれたカバー部材３４の前方に装飾部材３２が押し当てられ、当該装飾部材３２の周縁際が、収納ケース３８に螺着されている。また、収納ケース３８内に嵌め込まれたカバー部材３４の凹部４９，４９には、収納ケース３８のリブ５２，５２が嵌め込まれており、カバー部材３４、およびカバー部材３４に組み込まれた表示プレート４４ａ〜４４ｅ、発光装置４３ａ〜４３ｃが位置ずれしないようになっている。
【００２６】
さらに、そのように、カバー部材３４、表示プレート４４ａ〜４４ｅ、発光装置４３ａ〜４３ｃ、装飾部材３２と一体となった収納ケース３８の背面には、各発光装置４３ａ〜４３ｃのＬＥＤ基板３７ａ〜３７ｃを外部電源と接続するための配線基板３９が当着されており、当該配線基板３９の外部が配線カバー４１によって覆われている。
【００２７】
＜遊技機の作動内容＞
上記の如く構成されたパチンコ機１においては、発射ハンドル９の回動操作によって発射装置（図示せず）から遊技球が発射され、発射された遊技球が始動入賞口１９に入賞した場合に、内部に設置された制御装置（図示せず）において大当たり抽選（乱数の選択）が実行され、大当たり抽選の結果、「大当たり」になった場合には、「大当たり状態」が生起する。また、遊技球が始動入賞口１９に入賞する毎に、上記大当たり抽選と同時に、図柄の変動態様の抽選が実行され、制御装置の記憶手段に記憶された複数の変動態様（ノーマル変動態様（たとえば、５秒間の変動態様）、ショートリーチ変動態様（たとえば、１５秒間の変動態様）、ロングリーチ変動態様（たとえば、２５秒間の変動態様）、超ロングリーチ変動態様（たとえば、３５秒間の変動態様）、スーパーロングリーチ変動態様（たとえば、４５秒間の変動態様）等）の中から一つの変動態様が選択され、当該変動態様に基づいて、大型遊技部材３１の表示画面６において所定の時間だけ図柄の変動表示を実行する。そして、当該変動表示の後に「大当たり図柄」あるいは「はずれ図柄」を表示することによって大当たり抽選の結果を表示する。なお、パチンコ機１は、外見上、ノーマル変動態様、ショートリーチ変動態様、ロングリーチ変動態様、超ロングリーチ変動態様、スーパーロングリーチ変動態様の順に、当該変動態様による図柄の変動表示後の「大当たり」の生起確率が高くなるように制御される（すなわち、外見上、スーパーロングリーチ変動態様による図柄の変動表示後の「大当たり」の生起確率が高くなるように制御される）。
【００２８】
また、「大当たり状態」においては、大入賞口１８の扉体が所定回数だけ断続的に開成する。したがって、遊技者は、「大当たり」が発生した場合には、多くの遊技球を大入賞口１８に入賞させることによって、多くの賞品球を獲得することができる。
【００２９】
＜発光表示装置の作動内容＞
パチンコ機１においては、上記の如く、遊技球が始動入賞口１９に入賞する毎に、図柄の変動態様の抽選を実行する。そして、ノーマル変動態様が選択された場合には、発光表示装置１１の発光表示を実行せず、各リーチ変動態様が選択された場合には、所定のタイミングで、発光表示装置１１の発光表示を実行するように制御される。
【００３０】
さらに、パチンコ機１は、制御装置に発光態様切替手段（乱数取得手段）が設けられており、発光表示装置１１による発光表示の態様を、発光表示装置１１の表示プレート４４ａを利用して発光表示を実行する第一発光モード、表示プレート４４ｂを利用して発光表示を実行する第二発光モード、表示プレート４４ｃを利用して発光表示を実行する第三発光モード、表示プレート４４ｄおよび表示プレート４４ｅを利用して発光表示を実行する第四発光モードに切り替えることができるようになっている。
【００３１】
［第一発光モードによる発光表示］
図７（ａ）（ｉ）〜（iv）は、第一発光モードによる発光表示の様子を示したものである。第一発光モードにおいて、ショートリーチ変動態様が選択された場合には、発光表示装置１１の表示プレート４４ａの３つの長辺Ａ，Ｂ，Ｃの側方に位置したすべてのＬＥＤ（チップＬＥＤ）４６，４６・・の内の赤色のＬＥＤ４６，４６・・に電源が投入されるようになっている。そして、それらのＬＥＤ４６，４６・・に電源が投入されると、各ＬＥＤ４６，４６・・の前方に位置した各照射方向調整板３６ａ〜３６ｃにＬＥＤ光が入射し、一定の方向内で散乱されながら表示プレート４４ａを通り、一部が絵柄ｄによって前面に反射される。そのため、遊技者は、赤色に発光した絵柄ｄ（すなわち、“超”）を視認することができる。
【００３２】
また、第一発光モードにおいて、ロングリーチ変動態様が選択された場合には、発光表示装置１１の表示プレート４４ａの３つの長辺Ａ，Ｂ，Ｃの側方に位置したすべてのＬＥＤ４６，４６・・の内の緑色のＬＥＤ４６，４６・・に電源が投入されるようになっている。そして、それらのＬＥＤ４６，４６・・に電源が投入されると、ＬＥＤ光が各照射方向調整板３６ａ〜３６ｃを介して表示プレート４４ａ内を通り、一部が絵柄ｄによって前面に反射される。そのため、遊技者は、緑色に発光した絵柄ｄ（すなわち、“超”）を視認することができる。
【００３３】
一方、第一発光モードにおいて、超リーチ変動態様が選択された場合には、発光表示装置１１の表示プレート４４ａの３つの長辺Ａ，Ｂ，Ｃの側方に位置したすべてのＬＥＤ（チップＬＥＤ）４６，４６・・の内の青色のＬＥＤ４６，４６・・に電源が投入されるようになっている。そして、それらのＬＥＤ４６，４６・・に電源が投入されると、ＬＥＤ光が各照射方向調整板３６ａ〜３６ｃを介して表示プレート４４ａ内を通り、一部が絵柄ｄによって前面に反射される。そのため、遊技者は、青色に発光した絵柄ｄ（すなわち、“超”）を視認することができる。
【００３４】
さらに、第一発光モードにおいて、スーパーリーチ変動態様が選択された場合には、発光表示装置１１の表示プレート４４ａの３つの長辺Ａ，Ｂ，Ｃの側方に位置した赤色のＬＥＤ４６，４６・・、緑色のＬＥＤ４６，４６・・、青色のＬＥＤ４６，４６・・のすべてに電源が投入されるようになっている。そして、それらのＬＥＤ４６，４６・・に電源が投入されると、ＬＥＤ光が各照射方向調整板３６ａ〜３６ｃを介して表示プレート４４ａ内を通り、一部が絵柄ｄによって前面に反射される。そのため、遊技者は、白色に発光した絵柄ｄ（すなわち、“超”）を視認することができる。かかる表示によって、遊技者は、図柄の変動表示後の「大当たり」の生起確率が非常に高いことを認識することができる。
【００３５】
［第二発光モードによる発光］
一方、図７（ｂ）（ｉ）〜（iv）は、第二発光モードによる発光表示の様子を示したものである。第二発光モードにおいて、ショートリーチ変動態様が選択された場合には、発光表示装置１１の表示プレート４４ｂの長辺Ａの側方に位置した複数のＬＥＤ４６，４６・・に電源が投入されるようになっている。そして、それらのＬＥＤ４６，４６・・に電源が投入されると、各ＬＥＤ４６，４６・・の前方に位置した照射方向調整板３６ａ，３６ａ・・にＬＥＤ光が入射し、一定の方向内で散乱されながら表示プレート４４ｂ内を通り、一部が絵柄（文字）ａによって前面に反射される。そのため、遊技者は、絵柄（文字）ａ（すなわち、“アツ、アツ”）を視認することができる。
【００３６】
また、第二発光モードにおいて、ロングリーチ変動態様が選択された場合には、発光表示装置１１の表示プレート４４ｂの長辺Ｂの側方に位置した複数のＬＥＤ４６，４６・・に電源が投入されるようになっている。そして、それらのＬＥＤ４６，４６・・に電源が投入されると、ＬＥＤ光が各照射方向調整板３６ｂ，３６ｂ・・を介して表示プレート４４ｂ内を通り、一部が絵柄（文字）ｂによって前面に反射される。そのため、遊技者は、絵柄（文字）ｂ（すなわち、“アツ、アツ、アツ、アツ”）を視認することができる。
【００３７】
一方、第二発光モードにおいて、超ロングリーチ変動態様が選択された場合には、発光表示装置１１の表示プレート４４ｂの長辺Ｃの側方に位置した複数のＬＥＤ４６，４６・・に電源が投入されるようになっている。そして、それらのＬＥＤ４６，４６・・に電源が投入されると、ＬＥＤ光が各照射方向調整板３６ｃ，３６ｃ・・を介して表示プレート４４ｂ内を通り、一部が絵柄（文字）ｃによって前面に反射される。そのため、遊技者は、絵柄（文字）ｃ（すなわち、“アツ、アツ、アツ”）を視認することができる。
【００３８】
さらに、第二発光モードにおいて、スーパーロングリーチ変動態様が選択された場合には、発光表示装置１１の表示プレート４４ｂの３つの長辺Ａ，Ｂ，Ｃの側方に位置したすべてのＬＥＤ４６，４６・・に電源が投入されるようになっている。そして、それらのＬＥＤ４６，４６・・に電源が投入されると、ＬＥＤ光が各照射方向調整板３６ａ〜３６ｃを介して表示プレート４４ｂ内を通り、一部が絵柄ａによって前面に反射され、一部が絵柄ｂによって前面に反射され、一部が絵柄ｃによって前面に反射される。そのため、遊技者は、絵柄ａ，ｂ，ｃが重なった絵柄（すなわち、“アツ、アツ、アツ、アツ、アツ、アツ、アツ、アツ、アツ”）を視認することができる。かかる表示によって、遊技者は、図柄の変動表示後の「大当たり」の生起確率が非常に高いことを認識することができる。
【００３９】
［第三発光モードによる発光］
また、図７（ｃ）（ｉ）〜（iv）は、第三発光モードによる発光表示の様子を示したものである。第三発光モードにおいて、スーパーロングリーチ変動態様が選択された場合には、発光表示装置１１の表示プレート４４ｃの長辺Ａの側方に位置したＬＥＤ４６，４６・・の内の赤色のＬＥＤ４６，４６・・に電源が投入されるのと同時に、表示プレート４４ｃの長辺Ｂの側方に位置したＬＥＤ４６，４６・・の内の緑色のＬＥＤ４６，４６・・に電源が投入されるとともに、表示プレート４４ｃの長辺Ｃの側方に位置したＬＥＤ４６，４６・・の内の青色のＬＥＤ４６，４６・・に電源が投入される。そして、長辺Ａの側方に位置した赤色のＬＥＤ４６，４６・・に電源が投入されると、ＬＥＤ光が各照射方向調整板３６ａ，３６ａ・・を介して表示プレート４４ｃ内を通り、一部が絵柄ｅによって前面に反射される。また、長辺Ｂの側方に位置した緑色のＬＥＤ４６，４６・・に電源が投入されると、ＬＥＤ光が各照射方向調整板３６ｂ，３６ｂ・・を介して表示プレート４４ｃ内を通り、一部が絵柄ｆによって前面に反射される。さらに、長辺Ｃの側方に位置した赤色のＬＥＤ４６，４６・・に電源が投入されると、ＬＥＤ光が各照射方向調整板３６ｃ，３６ｃ・・を介して表示プレート４４ｃ内を通り、一部が絵柄ｇによって前面に反射される。そのため、遊技者は、絵柄ｅ，ｆ，ｇが重なった絵柄（すなわち、体が赤色で目が青色で目の周りが緑色のだるまの絵柄）を視認することができる。かかる表示によって、遊技者は、図柄の変動表示後の「大当たり」の生起確率が非常に高いことを認識することができる。
【００４０】
［第四発光モードによる発光］
一方、図７（ｄ）（ｉ）〜（iv）および図７（ｅ）（ｉ）〜（iv）は、第四発光モードによる発光表示の様子を示したものである。第四発光モードにおいて、超ロングリーチ変動態様が選択された場合には、配線基板３９上に設けられたリレー回路を利用して、発光表示装置１１の表示プレート４４ｄの３つの長辺Ａ，Ｂ，Ｃの側方に位置した各ＬＥＤ４６，４６・・に、短時間の周期で順番にパルス電源が投入されるようになっている。そして、長辺Ａの側方に位置した複数のＬＥＤ４６，４６・・にパルス電源が投入されると、ＬＥＤ光が各照射方向調整板３６ａ，３６ａ・・を介して表示プレート４４ｄ内を通り、一部が絵柄ｈによって前面に反射される。そのため、絵柄ｈが、ごく短時間だけ発光する。次に、長辺Ｂの側方に位置した複数のＬＥＤ４６，４６・・にパルス電源が投入されると、ＬＥＤ光が各照射方向調整板３６ｂ，３６ｂを介して表示プレート４４ｄ内を通り、一部が絵柄ｉによって前面に反射される。そのため、絵柄ｉが、ごく短時間だけ発光する。さらに、長辺Ｃの側方に位置した複数のＬＥＤ４６，４６・・にパルス電源が投入されると、ＬＥＤ光が各照射方向調整板３６ｃ，３６ｃを介して表示プレート４４ｄ内を通り、一部が絵柄ｊによって前面に反射される。そのため、絵柄ｊが、ごく短時間だけ発光する。それゆえ、遊技者には、絵柄ｈ、絵柄ｉ、絵柄ｊが、絵柄ｈ、絵柄ｉ、絵柄ｊの交点を中心に時計回りに回っているように見える。かかる表示によっても、遊技者は、図柄の変動表示後の「大当たり」の生起確率が高いことを認識することができる。
【００４１】
また、第四発光モードにおいて、スーパーロングリーチ変動態様が選択された場合には、配線基板３９上に設けられたリレー回路を利用して、発光表示装置１１の表示プレート４４ｄの３つの長辺Ａ，Ｂ，Ｃの側方に位置した各ＬＥＤ４６，４６・・、および、表示プレート４４ｅの３つの長辺Ａ，Ｂ，Ｃの側方に位置した各ＬＥＤ４６，４６・・に、短時間の周期で順番にパルス電源が投入されるようになっている。
【００４２】
すなわち、まず、表示プレート４４ｅの長辺Ａの側方に位置した複数のＬＥＤ４６，４６・・にパルス電源が投入され、ＬＥＤ光が照射方向調整板３６ａ，３６ａ・・を介して表示プレート４４ｅ内を通り、一部が絵柄ｋによって前面に反射される。そのため、絵柄ｋが、ごく短時間だけ発光する。次に、表示プレート４４ｄの長辺Ａの側方に位置した複数のＬＥＤ４６，４６・・にパルス電源が投入され、ＬＥＤ光が照射方向調整板３６ａ，３６ａ・・を介して表示プレート４４ｄ内を通り、一部が絵柄ｈによって前面に反射される。そのため、絵柄ｈが、ごく短時間だけ発光する。引き続き、表示プレート４４ｅの長辺Ｂの側方に位置した複数のＬＥＤ４６，４６・・にパルス電源が投入され、ＬＥＤ光が照射方向調整板３６ｂ，３６ｂ・・を介して表示プレート４４ｅ内を通り、一部が絵柄ｌによって前面に反射される。そのため、絵柄ｌが、ごく短時間だけ発光する。次に、表示プレート４４ｄの長辺Ｂの側方に位置した複数のＬＥＤ４６，４６・・にパルス電源が投入され、ＬＥＤ光が照射方向調整板３６ｂ，３６ｂ・・を介して表示プレート４４ｄ内を通り、一部が絵柄ｉによって前面に反射される。そのため、絵柄ｉが、ごく短時間だけ発光する。引き続き、表示プレート４４ｅの長辺Ｃの側方に位置した複数のＬＥＤ４６，４６・・にパルス電源が投入され、ＬＥＤ光が照射方向調整板３６ｃ，３６ｃ・・を介して表示プレート４４ｅ内を通り、一部が絵柄ｍによって前面に反射される。そのため、絵柄ｍが、ごく短時間だけ発光する。次に、表示プレート４４ｄの長辺Ｃの側方に位置した複数のＬＥＤ４６，４６・・にパルス電源が投入され、ＬＥＤ光が照射方向調整板３６ｃ，３６ｃ・・を介して表示プレート４４ｄ内を通り、一部が絵柄ｊによって前面に反射される。そのため、絵柄ｊが、ごく短時間だけ発光する。
【００４３】
それゆえ、遊技者には、絵柄ｋ、絵柄ｈ、絵柄ｌ、絵柄ｉ、絵柄ｍ、絵柄ｊが、絵柄ｋ、絵柄ｈ、絵柄ｌ、絵柄ｉ、絵柄ｍ、絵柄ｊの交点を中心に時計回りに回っているように見える。かかる表示によって、遊技者は、図柄の変動表示後の「大当たり」の生起確率が非常に高いことを認識することができる。
【００４４】
＜遊技機の効果＞
発光表示装置１は、上記の如く、横方向から照射された光を屈折させて前方から照射する複数の表示プレート４４ａ〜４４ｅが積層されており、それらの表示プレート４４ａ〜４４ｅの内の２枚以上を組み合わせて発光させる（たとえば、第四発光モード）ことによって、所定の文字や絵柄（一つの纏まった文字や絵柄）を表示するものであるため、液晶画面等の高価な発光部材を利用しなくても、バラエティに富んだ画像演出を実行することができ、遊技機に高い趣向性を提供することができる。また、発光強度が高く、明るいホール内でも、遊技者にインパクトのある発光表示をすることができる。
【００４５】
また、発光表示装置１は、各表示プレート４４ａ〜４４ｅが、光の照射方向によって異なる態様で発光するように複数の文字や絵柄を重ねて形成したものであるため、よりバラエティに富んだ多彩な画像演出を実行することが可能となっている。
【００４６】
一方、パチンコ機１は、発光表示装置１１によってバラエティに富んだ発光演出を実行することができるため、非常に趣向性が高い。
【００４７】
＜遊技機の変更例＞
本発明に係る遊技機の構成は、上記実施形態の態様に何ら限定されるものではなく、機枠、前面枠、遊技盤、供給皿、貯留皿、発射ハンドル、電動役物ユニット、大型遊技部材、発光表示装置（装飾部材、カバー部材、収納ケース、発光装置（調整板収納部材、照射方向調整板、ＬＥＤ基板）、表示プレート、配線基板）等の形状、構造、材質等の構成を、本発明の趣旨を逸脱しない範囲で適宜変更することができる。
【００４８】
たとえば、発光表示装置は、上記実施形態の如く、５枚の表示プレートを積層したものに限定されず、２〜４枚の表示プレートを積層したものや、６枚以上の表示プレートを積層したものに変更することも可能である。また、各表示プレートに形成する文字や絵柄も、上記実施形態の対応に限定されず、適宜変更することが可能である。
【００４９】
また、発光表示装置は、上記実施形態の如く、表示プレート面の方向と直交する異なる３方向から光を照射するものに限定されず、表示プレート面の方向と直交する１つの方向のみから光を照射するもの、表示プレート面の方向と直交する異なる２つの方向から光を照射するものや、表示プレート面の方向と直交する異なる４つ以上の方向から光を照射するものに変更することも可能である。
【００５０】
さらに、発光表示装置は、上記実施形態の如く、照射方向調整板を介してＬＥＤ光を表示プレートの端面に照射するものに限定されず、ＬＥＤ光を直接的に表示プレートの端面に照射するもの等に変更することも可能である。なお、発光表示装置を、上記実施形態の如く、照射方向調整板を介してＬＥＤ光を表示プレートの端面に照射するものとした場合には、ＬＥＤ光が照射方向調整板によって一定の範囲内で拡散されるため、前方（遊技者側）への発光強度が一段と高くなる、というメリットがある。
【００５１】
加えて、発光表示装置を設置する遊技機の構成も、上記実施形態の態様に何ら限定されず、本発明の趣旨を逸脱しない範囲で適宜変更することができる。
【００５２】
たとえば、遊技機は、上記実施形態の如く、選択した図柄の変動態様によって発光表示装置の発光態様を変更するものに限定されず、遊技者へ提供する遊技価値の種類（たとえば、大当たりの種類）に応じて発光表示装置の発光態様を変更するもの等に変更することも可能である。
【符号の説明】
【００５３】
１・・パチンコ機
４・・遊技盤
１１・・発光表示装置
４４ａ〜４４ｅ・・表示プレート
【図１】
2013172902.tif 000003
【図２】
2013172902.tif 000004
【図３】
2013172902.tif 000005
【図４】
2013172902.tif 000006
【図５】
2013172902.tif 000007
【図６】
2013172902.tif 000008
【図７】
2013172902.tif 000009